(57)【要約】      （修正有）【課題】棺桶の搬送が安定して行えるとともに、ストレッチャー上からの棺桶の持ち上げ作業が容易に行われる、葬儀において好適に使用されるストレッチャーを提供する。【解決手段】下部にキャスター３を備え、上面を搬送面５とするストレッチャー１において、搬送面の長手方向における両端部近傍に長手方向に直交する方向において、載置される棺桶の横ずれを防止する横ずれ防止凸部１６を両端に備える棺桶載置部材１０が設けられてなり、棺桶載置部材は、搬送面と載置される棺桶の底面との間に手差し入れ隙間を保つように配置される。【選択図】図１
0003212095.tif 000002
【実用新案登録請求の範囲】
【請求項１】
下部にキャスターを備え、上面を搬送面とするストレッチャーにおいて、
前記搬送面の長手方向における両端部近傍に前記長手方向に直交する方向において、載置される棺桶の横ずれを防止する横ずれ防止凸部を両端に備える棺桶載置部材が設けられてなることを特徴とするストレッチャー。
【請求項２】
前記棺桶載置部材は、前記搬送面と載置される前記棺桶の底面との間に手差し入れ隙間を保つように配置される請求項１記載のストレッチャー。
【請求項３】
前記棺桶載置部材は、前記棺桶の載置面に滑り防止部を備える請求項１記載のストレッチャー。
【請求項４】
前記横ずれ防止凸部は、その上部が載置方向に沿って外方に湾曲している請求項１記載のストレッチャー。
【請求項５】
前記搬送面の長手方向の一端側に、載置される前記棺桶の一端側に当接する当接体を備える請求項１、２、３または４記載のストレッチャー。
【考案の詳細な説明】
【技術分野】
【０００１】  この考案は、葬儀場等において使用されるストレッチャーに関する。
【背景技術】
【０００２】  葬儀会場において葬儀が終了すると、葬儀会場から葬儀場の出口まで遺体が納められた棺桶がストレッチャー上に載置されて搬送され、出口位置で葬儀参加者がストレッチャー上の棺桶を持ち上げ運ぶことで霊柩車に積み入れる。
【考案の概要】
【考案が解決しようとする課題】
【０００３】  従来においては、上記のストレッチャーを使用しての棺桶の搬送が安定して行われず、また、ストレッチャー上からの棺桶の持ち上げの作業が難しい問題があった。【０００４】  この考案は上記の事情に鑑みて行ったもので、棺桶の搬送が安定して行えるとともに、ストレッチャー上からの棺桶の持ち上げ作業が容易に行われる、葬儀において好適に使用されるストレッチャーを提供することを目的とする。
【課題を解決するための手段】
【０００５】  この考案では、下部にキャスターを備え、上面を搬送面とするストレッチャーにおいて、搬送面の長手方向における両端部近傍に長手方向に直交する方向において、載置される棺桶の横ずれを防止する横ずれ防止凸部を両端に備える棺桶載置部材が設けられてなることを特徴とするストレッチャーを提供する。【０００６】  上記構成のストレッチャーによれば、棺桶載置部材が横ずれ防止凸部を備えることで、棺桶は棺桶載置部材上に横ずれすることなく配置され安定した状態で搬送される。棺桶載置部材は搬送面の長手方向における中間位置に適宜追加配置されてもよい。また、棺桶載置部材上にベッド体を載置することでその上部に遺体を載置して搬送することも可能である。【０００７】  棺桶載置部材は、搬送面と載置される棺桶の底面との間に手差し入れ隙間を保つように配置される構成とされることで、手差し入れ隙間に手を差し入れることで棺桶の持ち上げが容易に行われる。【０００８】  棺桶載置部材は、棺桶の載置面に滑り防止部を備える構成とされることで、載置された棺桶が位置ずれしにくく、安定する。【０００９】  横ずれ防止凸部は、その上部が載置方向に沿って外方に湾曲している構成とされることで、棺桶を載置する際や持ち上げる際に引っかかることがない。【００１０】  搬送面の長手方向の一端側に、載置される棺桶の一端側に当接する当接体を備える構成とされることで、当接体が当接することで棺桶の前方等への位置ずれが防止され、安定する。
【考案の効果】
【００１１】  この考案のストレッチャーによれば、棺桶の搬送が安定して行えるとともに、ストレッチャー上からの棺桶の持ち上げ作業が容易に行われるようになる。
【図面の簡単な説明】
【００１２】
【図１】  この考案のストレッチャーの外観斜視図
【図２】  この考案のストレッチャーにおいて使用する棺桶載置部材の斜視図
【図３】  この考案のストレッチャーの使用状態斜視図
【考案の効果】
【考案の好ましい実施形態】
【００１３】  図１はこの考案のストレッチャーの外観斜視図であり、ストレッチャー１は金属製で、下部の前後に４個のキャスター３を備え、上面を搬送面５としている。キャスター３のそれぞれはリンク構造により矢印方向に折り畳み可能で、折りたたまれ扁平形態となった状態においては、４個の補助キャスター７が使用されて移動される。
【００１４】  搬送面５の長手方向における両端部近傍には長手方向に直交するように棺桶載置部材１０のそれぞれが取り付けられている。棺桶載置部材１０は、図２に示すように、金属製の角パイプ１２の両端に折れ曲がり状の金属片１４が溶接により固着されるとともに、角パイプ１２の上面の金属片１４に隣接する位置それぞれに樹脂製で表面に凹凸を持つ滑り防止部材１５が張り付けられて形成されている。金属片１４は湾曲する上方突出部（横ずれ防止凸部）１６を一体に備えている。棺桶載置部材１０はネジ穴１７位置でネジ２０により搬送面５の側パイプ２２上に固定されて取り付けられている。また、搬送面５の前端側には棺桶の前端に当接する当接体２４が設けられている。
【００１５】  以下、上記ストレッチャー１の使用について説明する。葬儀会場において葬儀が終了すると、葬儀会場から葬儀場の出口位置まで、図３に示すように、遺体が納められた棺桶１００の前部と後部が棺桶載置部材１０それぞれの上に載置されて搬送され、出口位置において葬儀参加者がストレッチャー１上の棺桶１００を持ち上げ運ぶことで霊柩車に積み入れる。
【００１６】  上記の葬儀会場で棺桶１００を棺桶載置部材１０上に載置する際、金属片１４が湾曲する上方突出部１６を備えていることで、棺桶１００がその部分に引っかかることなく容易に載置される。搬送は後部パイプ２３を持って押すことで行われる。その際、金属片１４の上方突出部１６の内側に棺桶１００の側面が当接することで棺桶１００の横ずれが防止されるとともに、棺桶１００の前端に当接体２４が当接することで棺桶１００の前方への位置ずれが防止され、さらに、棺桶１００の底面が滑り防止部材１５面に接することで棺桶１００が位置ずれしにくく、これら理由により棺桶１００が極めて安定した状態で搬送される。
【００１７】  棺桶１００はその載置状態において、棺桶載置部材１０の角パイプ１２上に載り、その高さＸ分（２．５ｃｍ程度）側パイプ２２の上面より浮き状態となっている。これにより側パイプ２２の上面と棺桶１００の底面との間に手差し入れ隙間３０が形成されるので、その手差し入れ隙間３０に手を差し入れることで棺桶１００の持ち上げが容易に行われる。棺桶１００を持ち上げる際にも、金属片１４の上方突出部１６が湾曲していることで、棺桶１００が引っかかることなく容易に持ち上げられる。
【００１８】  ストレッチャー１は、棺桶載置部材１０上に棺桶１００に変えてベッド体を載置することでその上部に遺体を載置して搬送することも可能で、その際には遺体搬送車にストレッチャー１を積み入れる際にキャスター３を折り畳むようにして用い、これにより、病院から葬儀場への遺体搬送等が支障なく行われる。
【符号の説明】
【００１９】１    ストレッチャー
３    キャスター
５    搬送面
１０  棺桶設置部材
１５  滑り防止部材（滑り防止部）
１６  上方突出部（横ずれ防止凸部）
２４  当接体
３０  手差し入れ隙間
１００  棺桶
【図１】
0003212095.tif 000003
【図２】
0003212095.tif 000004
【図３】
0003212095.tif 000005